(57)【特許請求の範囲】
【請求項１】
上枠と、複数のパネルを折畳み自在に連結した折畳み扉を備え、上枠はレールと、レールの吊元側に設けたガイドプレートを有し、折畳み扉は、吊元側から奇数番目のパネルの上部にガイド部が設けてあり、ガイドプレートは、吊元側に位置する第１パネルのガイド部を案内する第１パネル用ガイド溝と、上枠のレールの吊元側端部から連続し吊元側から３番目以降のパネルのガイド部を案内する第３以降パネル用ガイド溝とを有し、第３以降パネル用ガイド溝は、折畳み扉を折り畳んだ状態で最も戸先側のガイド部が位置する位置から第３パネルのガイド部が位置する位置までの範囲が、吊元側に向かうにつれてレールから遠ざかる方向に傾斜しており、折畳み扉を折り畳んだ状態で、第３パネルのガイド部が第１パネルのガイド部よりもレールから遠い位置にあり、第３パネル以降のパネルのガイド部は、吊元側から離れたものほどレールから近い位置にあることを特徴とする折戸。
【発明の詳細な説明】
【技術分野】
【０００１】
本発明は、折戸に関する。
【背景技術】
【０００２】
従来の折戸として、図８に示すように、吊元側から奇数番目のパネル９０の上部にガイド部９１ａ，９１ｂ，９１ｃを設け、上レール９２の吊元側に設けたガイドプレート９３のガイド溝９３ａ，９３ｂに各ガイド部を案内することで、折畳み扉の開閉する際のパネルの動きを規制して、折畳み扉の開閉操作をスムーズに行えるようにしたものがある。吊元側から３番目のパネルのガイド部９１ｂと５番目のパネルのガイド部９１ｃは、折畳み状態において上レール９２から同じ距離だけ見込み方向に離れた位置に設けてあって、ガイドプレートの同じガイド溝９３ｂに案内している。そのため、３番目以降のガイド部を案内するガイド溝９３ｂは、吊元側の端部に上レールと平行なストレート部９４が設けてあると共に、中間部に幅広部９５を設けている。そのようにガイド溝９３ｂにストレート部９４や幅広部９５が設けてあると、ガイド部９１ｂ，９１ｃの規制が緩くなってパネル９０にがたつきが生じ、図９に示すように、折畳み扉を閉める際にパネル９０同士が衝突して音がする不都合があった。
【発明の概要】
【発明が解決しようとする課題】
【０００３】
本発明は以上に述べた実情に鑑み、より静かにスムーズに開閉できる折戸の提供を目的とする。
【課題を解決するための手段】
【０００４】
上記の課題を達成するために請求項１記載の発明による折戸は、上枠と、複数のパネルを折畳み自在に連結した折畳み扉を備え、上枠はレールと、レールの吊元側に設けたガイドプレートを有し、折畳み扉は、吊元側から奇数番目のパネルの上部にガイド部が設けてあり、ガイドプレートは、吊元側に位置する第１パネルのガイド部を案内する第１パネル用ガイド溝と、上枠のレールの吊元側端部から連続し吊元側から３番目以降のパネルのガイド部を案内する第３以降パネル用ガイド溝とを有し、第３以降パネル用ガイド溝は、折畳み扉を折り畳んだ状態で最も戸先側のガイド部が位置する位置から第３パネルのガイド部が位置する位置までの範囲が、吊元側に向かうにつれてレールから遠ざかる方向に傾斜しており、折畳み扉を折り畳んだ状態で、第３パネルのガイド部が第１パネルのガイド部よりもレールから遠い位置にあり、第３パネル以降のパネルのガイド部は、吊元側から離れたものほどレールから近い位置にあることを特徴とする。
【発明の効果】
【０００５】
請求項１記載の発明による折戸は、折畳み扉を折り畳んだ状態で第３パネル以降のパネルのガイド部を、吊元側から離れたものほどレールに近い位置となるように見込み方向にずらして配置したことで、第３以降パネル用ガイド溝の溝幅を小さくすることができ、さらに第３以降パネル用ガイド溝は、折畳み扉を折り畳んだ状態で最も戸先側のガイド部が位置する位置から第３パネルのガイド部が位置する位置までの範囲が、吊元側に向かうにつれてレールから遠ざかる方向に傾斜していることで、開閉時のパネルのがたつきが抑えられ、パネルが跳ね出すときの動きを正確に規制できるので、より静かでスムーズな開閉が可能になる。
【図面の簡単な説明】
【０００６】
【図１】折畳み扉を折り畳んだ状態で下方より見た横断面図である。
【図２】（ａ）は本発明の折戸の一実施形態を示す平面図、（ｂ）は同正面図である。
【図３】（ａ）は図２のＡ−Ａ断面図、（ｂ）は折畳み扉を折り畳んだときの状態を示す。
【図４】図３（ａ）の吊元側を拡大した図である。
【図５】（ａ）は図２のＢ−Ｂ断面図、（ｂ）は図２のＣ−Ｃ断面図、（ｃ）は図２のＤ−Ｄ断面図である。
【図６】折畳み扉を折り畳む途中の状態を示す横断面図である。
【図７】折畳み扉をのばす途中の状態を示す横断面図である。
【図８】従来の折戸の横断面図であって、折畳み扉を折り畳んだ状態で下方より見た図である。
【図９】図８に示す折戸の折畳み扉を折り畳む途中の状態を示す横断面図である。
【発明を実施するための形態】
【０００７】
以下、本発明の実施の形態を図面に基づいて説明する。図１〜５は、本発明の折戸の一実施形態を示している。本折戸は、道路と敷地の境界に設置され、車庫前のゲートとして用いられるものである。
本折戸は、図２に示すように、上枠１と左右の竪枠１０ａ，１０ｂとからなる門型の枠を地面Ｇから立設し、その枠内に折畳み扉３を設置してあり、図２中に仮想線で示すように、折畳み扉３を右側の竪枠１０ａに沿わせて折り畳むことで、左右の竪枠１０ａ，１０ｂ間の間口を開放できるようになっている。左右の竪枠１０ａ，１０ｂの根元間には、下枠１１が地面Ｇに埋め込んで設けてある。
【０００８】
折畳み扉３は、図３に示すように、吊元側から第１〜第６の６枚のパネル２ａ，２ｂ，２ｃ，２ｄ，２ｅ，２ｆを主継手１２及び副継手１３を介して連結し、吊元側端部に吊元框１４を連結し、戸先側端部に戸先框１５を連結して構成され、各連結部で折れ曲がるようになっている。戸先框１５には、上下方向の中間部に引手１６が設けてある。主継手１２と戸先框１５と吊元框１４の上端部には走行具１７が設けてあり、走行具１７は図５に示すように、上枠１の下面側に設けたメインレール１８に案内されている。主継手１２と戸先框１５と吊元框１４の下端部にはガイドピン１９が下方に突出して設けてあり、ガイドピン１９は図２（ｂ）に示すように、下枠１１と係合している。よって、主継手１２と戸先框１５と吊元框１４は、折畳み扉３の開閉時に上下枠１，１１に沿って移動する。副継手１３は、折畳み扉３を折り畳んだときには、敷地側に飛び出す。
【０００９】
上枠１は、図１，５に示すように、メインレール１８の敷地側に沿って第１サブレール４が設けてあり、そのさらに敷地側に第２サブレール２０が設けてある。第１・第２サブレール４，２０の吊元側端部と竪枠１０ａとの間には、ガイドプレート５が敷地側に張り出して設けてある。ガイドプレート５には、図４に示すように、第１パネル用ガイド溝７と第３以降パネル用ガイド溝８とが設けてある。各ガイド溝７，８は、吊元側に向かうにつれてメインレール１８から敷地側に遠ざかるようにＳ字状に緩やかに湾曲して形成されている。第３以降パネル用ガイド溝８は、戸先側端部が第１サブレール４と連続している。
【００１０】
図３（ａ）と図４に示すように、第１パネル２ａと第３パネル２ｃと第５パネル２ｅの上部の吊元寄りの位置には、ブラケット２１が敷地側に突出して設けられ、各ブラケット２１にガイドローラー６ａ，６ｂ，６ｃが設けてある。折畳み扉３を閉じた（のばした）状態では、第１パネル２ａのガイドローラー６ａはガイドプレート５の第１パネル用ガイド溝７の戸先側端部位置に係合しており、第３・第５パネル２ｃ，２ｅのガイドローラー６ｂ，６ｃは、上枠１の第１サブレール４に係合している。
引手１６を吊元側に押して折畳み扉３を折り畳む際には、第１パネル２ａのガイドローラー６ａはガイドプレート５の第１パネル用ガイド溝７内を吊元側に向かって移動し、それに伴って第１パネル２ａとこれに連結された第２パネル２ｂが敷地側に跳ね出される動きをサポートする。第３パネル２ｃと第５パネル２ｅのガイドローラー６ｂ，６ｃは、上枠１の第１サブレール４からガイドプレート５の第３以降パネル用ガイド溝８へと順次移動し、第３以降パネル用ガイド溝８内を吊元側に移動することで、第３・第５パネル２ｃ，２ｅとこれに連結された第４・第５パネル２ｄ，２ｆが敷地側に跳ね出される動きをサポートする。各ガイド溝７，８がＳ字状に湾曲して形成されていることで、各パネル２ａ，２ｂ，２ｃ，２ｄ，２ｅ，２ｆの動きは、動き始めと終わりがゆっくりで、途中で早く大きく動く。
【００１１】
折畳み扉３が完全に折り畳まれた状態では、図１に示すように、第３パネル２ｃのガイドローラー６ｂは第１パネル２ａのガイドローラー６ａに対して敷地側に３０ｍｍずれた位置にあり、第５パネル２ｅのガイドローラー６ｃは第３パネル２ｃのガイドローラー６ｂに対して道路側に１５ｍｍずれた位置にある。このように、第５パネル２ｅのガイドローラー６ｃを第３パネル２ｃのガイドローラー６ｂに対して道路側にずらして配置すると、第５パネル２ｅのガイドローラー６ｃの軌跡２６ａの敷地側への膨らみが小さくなり、且つ第３パネル２ｃのガイドローラー６ｂの軌跡２６ｂに近付くため、第３以降パネル用ガイド溝８の溝幅を小さくすることができる。さらに第３以降パネル用ガイド溝８は、第５パネル２ｅのガイドローラー６ｃが位置する位置から第３パネル２ｃのガイドローラー６ｂが位置する位置までの範囲が、吊元側に向かうにつれて第１サブレール４から遠ざかる方向に緩やかに傾斜した傾斜部９となっている。この傾斜部９は、ガイドローラー６ｂの径よりも若干広い、ほぼ一定の溝幅で形成されている。
【００１２】
図６は、折畳み扉３が折り畳まれる途中の状態を示しており、上述のように第３以降パネル用ガイド溝８の吊元側にほぼ一定の溝幅の傾斜部９を設けたことと、第５パネル２ｅのガイドローラー６ｃを第３パネル２ｃのガイドローラー６ｂに対して道路側にずらして配置することで第３以降パネル用ガイド溝８の溝幅を小さくしたことで、第３〜第６パネル２ｃ，２ｄ，２ｅ，２ｆが折り畳まれる際の各パネルの動きを正確に規制し、各パネルのがたつきが抑えられることから、パネル２ａ，２ｂ，２ｃ，２ｄ，２ｅ，２ｆ同士の衝突音を抑えて静かにスムーズに折り畳むことができる。
また、第３パネル２ｃのガイドローラー６ｂが第３以降パネル用ガイド溝８の傾斜部９に案内されていることで、第２パネル２ｂと第３パネル２ｃを繋いでいる主継手１２にガイドローラー６ｂを介して扉を押す力が伝わるので、この主継手１２が停滞することなく吊元側に移動し、吊元側のパネル（第１〜第４パネル２ａ，２ｂ，２ｃ，２ｄ）同士が近接する前に、それよりも戸先側のパネル（第５パネル２ｅ）のガイドローラー６ｃが第３以降パネル用ガイド溝８内に進入し、戸先側のパネル（第５パネル２ｅ、第６パネル２ｆ）が跳ね出され、これにより扉を押す力の一部が跳ね出す力に変換され、扉を押す力が弱められるため、吊元側のパネル同士が接触する際の勢いも弱められるため、より静かに折り畳むことができる。
図７は、折畳み扉３をのばす途中の状態を示しており、第３以降パネル用ガイド溝８の溝幅を小さくしたことで、折畳み扉３をのばす際も静かでスムーズである。
【００１３】
さらに本折戸は、図３（ａ）に示すように、第１パネル２ａと第３パネル２ｃと第５パネル２ｅの上部の副継手１３寄りの位置に、ブラケット２２が敷地側に突出して設けてあり、各ブラケット２２にばたつき防止ローラー２３ａ，２３ｂ，２３ｃが設けてある。ばたつき防止ローラー２３ａ，２３ｂ，２３ｃは、図５（ａ）に示すように、上枠１の第２サブレール２０に係合している。これにより、折畳み扉３をのばして閉鎖した状態のときに、上下枠１，１１と係合していない副継手１３付近が風などにより見込み方向にばたつくのを規制している。
なお第２サブレール２０は、図１，４に示すように、吊元側端部の敷地側の側壁を切除した切除部２４が設けてあり、折畳み扉３を折り畳む際には、ばたつき防止ローラー２３ａ，２３ｂ，２３ｃはその切除部２４から敷地側に抜け出る。また、第２サブレール２０の吊元側端部には進入ガイド２５が設けてあり、折畳み扉３を折り畳んだ状態からのばす際には、ばたつき防止ローラー２３ａ，２３ｂ，２３ｃが進入ガイド２５にガイドされて確実に第２サブレール２０に進入できるようにしている。
【００１４】
本発明は以上に述べた実施形態に限定されない。折畳み状態における第１・第３・第５パネルのガイドローラー６ａ，６ｂ，６ｃの見込み方向のずらし量は、適宜変更することができる。ガイドプレート５の第３以降パネル用ガイド溝８の傾斜部９は、見込み方向にずれたガイドローラー６ｂ，６ｃ間を繋ぐように設けてあればよく、その形状は直線的に傾斜したものであってもよいし湾曲したものであってもよい。折畳み扉３のパネルの数は６枚に限らず、８枚以上連結したものであってもよい。パネルを８枚連結した場合は、折り畳んだ状態で第７パネルのガイドローラーを第５パネルのガイドローラーよりもレールに近付けて配置し、第３以降パネル用ガイド溝は、折り畳んだ状態で第７パネルのガイドローラーが位置する位置から第３パネルのガイドローラーが位置する位置までの範囲を、吊元側に向かうにつれてレールから遠ざかる方向に傾斜させる。折戸の設置場所や用途は任意である。
【符号の説明】
【００１５】
１  上枠
２ａ，２ｂ，２ｃ，２ｄ，２ｅ，２ｆ  パネル
３  折畳み扉
４  第１サブレール（レール）
５  ガイドプレート
６ａ，６ｂ，６ｃ  ガイドローラー（ガイド部）
７  第１パネル用ガイド溝
８  第３以降パネル用ガイド溝
９  傾斜部
【図１】
0005999927.tif 000002
【図２】
0005999927.tif 000003
【図３】
0005999927.tif 000004
【図４】
0005999927.tif 000005
【図５】
0005999927.tif 000006
【図６】
0005999927.tif 000007
【図７】
0005999927.tif 000008
【図８】
0005999927.tif 000009
【図９】
0005999927.tif 000010